(57)【要約】本開示は、ファイル伝送方法、装置、およびコンピュータ読み取り可能な記憶媒体に関するものであり、端末装置の分野に属する。前記ファイル伝送方法は、ファイルのアイコンを目標装置のアイコンにドラッグするためのファイルドラッグ操作を検出するステップと、検出された前記ファイルドラッグ操作に応答して、前記ファイルのデータを取得するステップと、前記ファイルのデータを前記目標装置に送信するステップと、を含む。ファイルを目標装置のアイコンにドラッグすることにより、ファイルの伝送を実現することができ、前記過程が簡単で、端末装置に第３者のインスタントメッセージングソフトウェアを搭載して使用する必要がなく、操作が簡単で、ファイルの伝送プロセスを簡単化した。【選択図】図２
2021528706.tif 000002
【特許請求の範囲】
【請求項１】
ファイル伝送方法であって、
ファイルのアイコンを目標装置のアイコンにドラッグするためのファイルドラッグ操作を検出するステップと、
検出された前記ファイルドラッグ操作に応答して、前記ファイルのデータを取得するステップと、
前記ファイルのデータを前記目標装置に送信するステップと、を含むことを特徴とするファイル伝送方法。
【請求項２】
前記ファイルドラッグ操作を検出するステップは、
ローカルに保存されたファイルが選択された場合、選択されたファイルに対する前記ファイルドラッグ操作を検出するステップを含むことを特徴とする請求項１に記載のファイル伝送方法。
【請求項３】
前記ファイルドラッグ操作を検出するステップは、
前記ファイルのアイコンがドラッグされる軌跡の終点と前記目標装置のアイコンが存在する位置が重なる場合、前記ファイルドラッグ操作が検出されたことを確定するステップを含み、または
前記ファイルドラッグ操作を検出するステップは、
前記ファイルのアイコンがドラッグされる過程で、前記目標装置のアイコンが押されて発生するトリガイベントが検出された場合、前記ファイルドラッグ操作が検出されたことを確定するステップを含むことを特徴とする請求項１に記載のファイル伝送方法。
【請求項４】
前記方法は、
ローカルに保存されたファイルが選択された場合、所定位置に前記目標装置のアイコンを表示するステップをさらに含むことを特徴とする請求項１から請求項３のいずれか一項に記載のファイル伝送方法。
【請求項５】
前記ファイルドラッグ操作の中で選択されたファイルは、一つまたは複数のファイルを含むことを特徴とする請求項１から請求項３のいずれか一項に記載のファイル伝送方法。
【請求項６】
前記ファイルのデータを前記目標装置に送信するステップは、
前記目標装置のアドレスを取得するステップと、
前記目標装置のアドレスに基づいて、前記ファイルのデータを前記目標装置に送信するステップと、を含むことを特徴とする請求項１から請求項３のいずれか一項に記載のファイル伝送方法。
【請求項７】
前記目標装置のアドレスを取得するステップは、
目標装置のアイコンが存在するインターフェースの位置領域と目標装置のアドレスとの関係に基づいて、前記ファイルのアイコンがドラッグされる軌跡の終点が存在する位置領域に対応する目標装置のアドレスを確定するステップを含み、または
前記目標装置のアドレスを取得するステップは、
トリガイベントと目標装置のアドレスとの関係に基づいて、前記ファイルのアイコンがドラッグされる過程で発生するトリガイベントに対応する目標装置のアドレスを確定するステップを含み、
前記トリガイベントは、前記目標装置のアイコンが押されたときに発生されることを特徴とする請求項６に記載のファイル伝送方法。
【請求項８】
前記方法は、
ユーザーが前記目標装置のアイコンをクリックするクリック操作に応答して、ファイルの伝送記録を表示するステップをさらに含むことを特徴とする請求項１から請求項３のいずれか一項に記載のファイル伝送方法。
【請求項９】
前記方法は、
放送を通じてペアリング情報を送信するステップと、
前記目標装置が送信する応答情報を受信するステップと、
前記応答情報に含まれる身分情報が予定の身分情報である場合、前記目標装置に接続確立要求を送信するステップと、
前記目標装置が送信する接続確立応答を受信するステップと、をさらに含み、
前記応答情報は身分情報を含み、前記身分情報はユーザーアカウントとデバイスのメーカー識別子の中の少なくとも一つを含むことを特徴とする請求項１から請求項３のいずれか一項に記載のファイル伝送方法。
【請求項１０】
ファイル伝送装置において、
ファイルのアイコンを目標装置のアイコンにドラッグするファイルドラッグ操作を検出するように構成される検出モジュールと、
検出された前記ファイルドラッグ操作に応答して、前記ファイルのデータを取得するように構成される取得モジュールと、
前記ファイルのデータを前記目標装置に送信するように構成される送信モジュールと、を含むことを特徴とするファイル伝送装置。
【請求項１１】
前記検出モジュールは、ローカルに保存されたファイルが選択された場合、選択されたファイルに対する前記ファイルドラッグ操作を検出するように構成されることを特徴とする請求項１０に記載のファイル伝送装置。
【請求項１２】
前記検出モジュールは、前記ファイルのアイコンがドラッグされる軌跡の終点と前記目標装置のアイコンが存在する位置が重なる場合、前記ファイルドラッグ操作が検出されることを確定するように構成され、または
前記検出モジュールは、前記ファイルのアイコンがドラッグされる過程で、前記目標装置のアイコンが押されて発生するトリガイベントが検出された場合、前記ファイルドラッグ操作が検出されることを確定するように構成されることを特徴とする請求項１０に記載のファイル伝送装置。
【請求項１３】
前記装置は、
ローカルに保存されたファイルが選択された場合、所定位置に前記目標装置のアイコンを表示するように構成される出力モジュールをさらに含むことを特徴とする請求項１０から請求項１２のいずれか一項に記載のファイル伝送装置。
【請求項１４】
前記ファイルドラッグ操作の中で選択されたファイルは、少なくとも一つのファイルを含むことを特徴とする請求項１０から請求項１２のいずれか一項に記載のファイル伝送装置。
【請求項１５】
前記送信モジュールは、
前記目標装置のアドレスを取得するように構成される取得サブモジュールと、
前記目標装置のアドレスに基づいて、前記ファイルのデータを前記目標装置に送信するように構成される送信サブモジュールと、を含むことを特徴とする請求項１０から請求項１２のいずれか一項に記載のファイル伝送装置。
【請求項１６】
前記取得サブモジュールは、目標装置のアイコンが存在するインターフェースの位置領域と目標装置のアドレスとの関係に基づいて、前記ファイルのアイコンがドラッグされる軌跡の終点が存在する位置領域に対応する目標装置のアドレスを確定するように構成され、または
前記取得サブモジュールは、トリガイベントと目標装置のアドレスとの関係に基づいて、前記ファイルのアイコンがドラッグされる過程で発生するトリガイベントに対応する目標装置のアドレスを確定するように構成され、前記トリガイベントは、前記目標装置のアイコンが押されるときに発生されることを特徴とする請求項１５に記載のファイル伝送装置。
【請求項１７】
前記装置は、
ユーザーが前記目標装置のアイコンをクリックするクリック操作に応答して、ファイルの伝送記録を表示するように構成される出力モジュールをさらに含むことを特徴とする請求項１０から請求項１２のいずれか一項に記載のファイル伝送装置。
【請求項１８】
前記装置は、
受信モジュールと、
放送を通じてペアリング情報を送信するように構成される前記送信モジュールと、
前記目標装置が送信する応答情報を受信するように構成され、前記応答情報は身分情報を含み、前記身分情報はユーザーアカウントとデバイスのメーカー識別の中の少なくとも一つを含む前記受信モジュールと、
前記応答情報が持っているユーザーアカウントとローカルが使用するユーザーアカウントが同じである場合、前記目標装置に接続確立要求を送信するように構成される前記送信モジュールと、
前記目標装置が送信する接続確立応答を受信するように構成される前記受信モジュールと、をさらに含むことを特徴とする請求項１０から請求項１２のいずれか一項に記載のファイル伝送装置。
【請求項１９】
ファイル伝送装置において、
プロセッサーと、
プロセッサーが実行可能な命令を格納するメモリと、を含み、
ここで、前記プロセッサーは、請求項１から請求項９のいずれか一項に記載のファイル伝送方法を実行するように構成されることを特徴とするファイル伝送装置。
【請求項２０】
コンピュータ読み取り可能な記憶媒体において、
前記記憶媒体には、コンピュータ命令を格納し、
前記コンピュータのコマンドがプロセッサーによって実行される場合、請求項１から請求項９のいずれか一項に記載のファイル伝送方法を実現することを特徴とするコンピュータ読み取り可能な記憶媒体。
【発明の詳細な説明】
【技術分野】
【０００１】
本開示は、通信分野に関するものであり、特にファイル伝送方法、装置、およびコンピュータ読み取り可能な記憶媒体に関するものである。
【背景技術】
【０００２】
移動端末の技術が発展するに伴って、移動端末は、人の日常生活の中で欠かせない装置となった。日常生活では、移動端末との間または移動端末と他の端末との間でファイルを伝送する場合が頻繁に発生する。現在、伝送する主な方法は、第三者のインスタントメッセージングソフトウェアを介してファイルの伝送を実現した。しかし、これらの実現方法は、このようなインスタントメッセージングソフトウェアを搭載して使用する必要があるので、操作が不便である。
【発明の概要】
【発明が解決しようとする課題】
【０００３】
本開示は、ファイル伝送方法、装置、およびコンピュータ読み取り可能な記憶媒体を提供することで、ファイルの伝送操作を簡単化することができる。
【課題を解決するための手段】
【０００４】
本公開の実施例の第１方面によると、ファイル伝送方法を提供し、ファイルのアイコンを目標装置のアイコンにドラッグするためのファイルドラッグ操作を検出するステップと、検出された前記ファイルドラッグ操作に応答して、前記ファイルのデータを取得するステップと、前記ファイルのデータを前記目標装置に送信するステップと、を含む。
【０００５】
本公開の実施例において、ファイルを目標装置のアイコンにドラッグすることで、ファイルの伝送を実現することができ、上記の過程が簡単で、端末装置に第３者のインスタントメッセージングソフトウェアを搭載して使用する必要がなく、操作この簡単で、ファイルの伝送処理を簡単化した。
【０００６】
本公開の実施例の実現方式において、前記ファイルドラッグ操作を検出するステップは、ローカルに保存されたファイルが選択された場合、選択されたファイルに対する前記ファイルドラッグ操作を検出するステップを含む。
【０００７】
上記の実現方式において、ローカルに保存されたファイルが選択された場合のみ、ファイルドラッグ操作を検出することに限定することで、継続的な検出による資源の浪費を避けることができる。
【０００８】
本公開の実施例の実現方式において、前記ファイルドラッグ操作を検出するステップは、前記ファイルのアイコンがドラッグされる軌跡の終点と前記目標装置のアイコンが存在する位置が重なる場合、前記ファイルドラッグ操作が検出されたことを確定するステップを含み、または前記ファイルドラッグ操作を検出するステップは、前記ファイルのアイコンがドラッグされる過程で、前記目標装置のアイコンが押されて発生するトリガイベントが検出された場合、前記ファイルドラッグ操作が検出されたことを確定するステップを含む。
【０００９】
ここで、目標装置のアイコンは、２つの状況に分ける。一つは、上記のアイコンがデスクトップでの一つの位置に対応し、ファイルのアイコンが上記の位置にドラッグされるとき、ファイルドラッグ操作を発生する。他の一つは、上記のアイコンが一つのボタンに対応し、ファイルのアイコンが上記ボタンにドラッグされるとき、ファイルドラッグ操作がトリガされて発生される。上記２つの状況に対応して、本公開は２つの検出方法を提供し、ファイルドラッグ操作の検出を実現する。
【００１０】
本公開の実施例の実現方式において、ローカルに保存されたファイルが選択された場合、所定位置に前記目標装置のアイコンを表示するステップをさらに含む。
【００１１】
これにより、目標装置のアイコンがずっと表示する必要がなく、ユーザーが端末装置を使用する過程で、ファイルを伝送していない場合、目標装置のアイコンによって干渉されず、同時に目標装置のアイコンを隠してスクリーンスペースを節約することができる。
本公開の実施例の実現方式において、前記ファイルドラッグ操作の中で選択されたファイルは、一つまたは複数のファイルを含む。
【００１２】
本公開の実施例において、ユーザーは、一度に一つのファイルを選択して送信することができ、同時に複数のファイルを選択して、一括で送信することもできる。
【００１３】
本公開の実施例の実現方式において、前記ファイルのデータを前記目標装置に送信するステップは、前記目標装置のアドレスを取得するステップと、前記目標装置のアドレスに基づいて、前記ファイルのデータを前記目標装置に送信するステップと、を含む。
【００１４】
ここで、ファイルを伝送するときに、まず目標装置のアドレスを取得した後に送信して、処理が簡単である。
【００１５】
本公開の実施例の実現方式において、前記目標装置のアドレスを取得するステップは、目標装置のアイコンが存在するインターフェースの位置領域と目標装置のアドレスとの関係に基づいて、前記ファイルのアイコンがドラッグされる軌跡の終点が存在する位置領域に対応する目標装置のアドレスを確定するステップを含み、または前記目標装置のアドレスを取得するステップは、トリガイベントと目標装置のアドレスとの関係に基づいて、前記ファイルのアイコンがドラッグされる過程で発生するトリガイベントに対応する目標装置のアドレスを確定するステップを含み、前記トリガイベントは、前記目標装置のアイコンが押されたときに発生される。
【００１６】
ここで、目標装置のアドレスを取得することは、２つの状況が存在する。一つは、端末装置が接続する各目標装置のアイコンがスクリーン（デスクトップ）で異なる位置領域に存在し、目標装置のアイコンが存在しているインターフェースの位置領域と目標装置のアドレスとの関係、およびファイルがドラッグされる過程中の終点が存在する位置領域に基づいて、ファイルが対応する目標装置を確定することができる。他の一つは、ファイルのドラッグ操作がボタンをトリガし、各ボタンが一つのトリガイベントに対応され、前記トリガイベントと目標装置のアドレスが互いに対応し、端末装置中のトリガイベントに基づいて対応する目標装置を確定することができる。
【００１７】
本公開の実施例の実現方式において、前記方法は、ユーザーが前記目標装置のアイコンをクリックするクリック操作に応答して、ファイルの伝送記録を表示するステップをさらに含む。
【００１８】
上記の実現方式において、目標装置のアイコンをクリックして、ファイルの伝送記録を表示することで、どのファイルが既に送信完了したことを確定することができる。
【００１９】
本公開の実施例の実現方式において、前記方法は、放送を通じてペアリング情報を送信するステップと、前記目標装置が送信する応答情報を受信するステップと、前記応答情報が持っている身分情報が予定の身分情報である場合、前記目標装置に接続確立要求を送信するステップと、前記目標装置が送信する接続確立応答を受信するステップと、をさらに含み、前記応答情報は身分情報を含み、前記身分情報はユーザーアカウントとデバイスのメーカー識別の中の少なくとも一つを含む。
【００２０】
上記の実現方式において、端末装置との間の接続関係は、ペアリングと応答によって確立される。接続関係を確立する過程で、ユーザーアカウントおよび／またはデバイスのメーカー識別を認証標準とし、統一されたユーザーアカウントおよび／またはデバイスのメーカー識別を使用した端末装置の間には、自動的に接続が確立されて、人の操作が必要なく、ファイルジョンソンのプロセスを簡単化した。同時に、上記認証過程が存在することにより、慣れていない移動装置に接続され、後続の様々な問題が発生していることを避けることができる。
【００２１】
本公開の第２方面によると、ファイル伝送装置を提供し、フファイルのアイコンを目標装置のアイコンにドラッグするファイルドラッグ操作を検出するように構成される検出モジュールと、検出された前記ファイルドラッグ操作に応答して、前記ファイルのデータを取得するように構成される取得モジュールと、前記ファイルのデータを前記目標装置に送信するように構成される送信モジュールと、を含む。
【００２２】
本公開の実施例の実現方式において、前記検出モジュールは、ローカルに保存されたファイルが選択された場合、選択されたファイルに対する前記ファイルドラッグ操作を検出するように構成される。
【００２３】
本公開の実施例の実現方式において、前記検出モジュールは、前記ファイルのアイコンがドラッグされる軌跡の終点と前記目標装置のアイコンが存在する位置が重なる場合、前記ファイルドラッグ操作が検出されることを確定するように構成され、または前記検出モジュールは、前記ファイルのアイコンがドラッグされる過程で、前記目標装置のアイコンが押されて発生するトリガイベントが検出された場合、前記ファイルドラッグ操作が検出されることを確定するように構成される。
【００２４】
本公開の実施例の実現方式において、前記装置は、ローカルに保存されたファイルが選択された場合、所定位置に前記目標装置のアイコンを表示するように構成される出力モジュールをさらに含む。
【００２５】
本公開の実施例の実現方式において、前記ファイルドラッグ操作の中で選択されたファイルは、少なくとも一つのファイルを含む。
【００２６】
本公開の実施例の実現方式において、前記送信モジュールは、前記目標装置のアドレスを取得するように構成される取得サブモジュールと、前記目標装置のアドレスに基づいて、前記ファイルのデータを前記目標装置に送信するように構成される送信サブモジュールと、を含む。
【００２７】
本公開の実施例の実現方式において、前記取得サブモジュールは、目標装置のアイコンが存在するインターフェースの位置領域と目標装置のアドレスとの関係に基づいて、前記ファイルのアイコンがドラッグされる軌跡の終点が存在する位置領域に対応する目標装置のアドレスを確定するように構成され、または前記取得サブモジュールは、トリガイベントと目標装置のアドレスとの関係に基づいて、前記ファイルのアイコンがドラッグされる過程で発生するトリガイベントに対応する目標装置のアドレスを確定するように構成され、前記トリガイベントは、前記目標装置のアイコンが押されるときに発生される。
【００２８】
本公開の実施例の実現方式において、前記装置は、ユーザーが前記目標装置のアイコンをクリックするクリック操作に応答して、ファイルの伝送記録を表示するように構成される出力モジュールをさらに含む。
【００２９】
本公開の実施例の実現方式において、前記装置は、受信モジュールと、放送を通じてペアリング情報を送信するように構成される前記送信モジュールと、前記目標装置が送信する応答情報を受信するように構成され、前記応答情報は身分情報を含み、前記身分情報はユーザーアカウントとデバイスのメーカー識別の中の少なくとも一つを含む前記受信モジュールと、前記応答情報が持っているユーザーアカウントとローカルが使用するユーザーアカウントが同じである場合、前記目標装置に接続確立要求を送信するように構成される前記送信モジュールと、前記目標装置が送信する接続確立応答を受信するように構成される前記受信モジュールと、をさらに含む。
【００３０】
本公開の第３方面によると、ファイル伝送装置を提供し、プロセッサーと、プロセッサーが実行可能な命令を格納するメモリと、を含み、ここで、前記プロセッサーは、第１方面のファイル伝送方法を実行するように構成される。
【００３１】
本公開の第４方面によると、コンピュータ読み取り可能な記憶媒体を提供し、前記記憶媒体には、コンピュータ命令を格納し、前記コンピュータのコマンドがプロセッサーによって実行される場合、第１方面のファイル伝送方法を実現する。
【００３２】
理解するのは、前記一般的な説明と後述する詳細な説明は、単に例示的で解釈的なものであり、本開示を限定するものではない。
【図面の簡単な説明】
【００３３】
ここの図面は、明細書に併合されて明細書の一部を構成し、本発明に適合する実施例を示し、明細書と一緒に本発明の原理を解釈する。
【図１】一例示的な実施形態に係る応用場面図である。
【図２】一例示的な実施形態に係るファイル伝送方法のフローチャートである。
【図３】一例示的な実施形態に係るファイル伝送方法のフローチャートである。
【図４】一例示的な実施形態に係る端末装置のインターフェース図である。
【図５】一例示的な実施形態に係る端末装置のインターフェース図である。
【図６】一例示的な実施形態に係るファイル伝送装置の構造例示図である。
【図７】一例示的な実施形態に係るファイル伝送装置のブロック図である。
【発明を実施するための形態】
【００３４】
以下、例示的な実施例について詳細に説明し、その実例は図面に表わす。下記の説明において、図面に関する説明に対して別々のことを表わさない場合、異なる図面で表わす同じ数字は同一または類似するの要素を表わす。下記の例示的な実施例で説明している実施方式は、本開示と一致するすべての実施方式を代表するものではない。逆に、これらは添付されている請求の範囲に記載される本開示の一方面と一致する装置および方法の一例にすぎない。
【００３５】
図１は、一例示的な実施形態に係る応用場面図である。図１を参照すると、上記場面は、端末装置１と端末装置２を含む。上記端末装置１と端末装置２は、一定の距離の範囲内に存在する２つのデバイスであることができ、同じユーザーに属することができる。２つの端末装置との間には、接続が確立されることができる。上記端末装置１と端末装置２は、移動端末であることができ、他の端末であることもできる。例えば、コンピュータなどであることができる。一般的に、端末装置１と端末装置２との間にファイルを伝送する方法は、主に第３者のインスタントメッセージングソフトウェア（Ｔｈｅ  ｉｎｓｔａｎｔ  ｃｏｍｍｕｎｉｃａｔｉｏｎ  ｓｏｆｔｗａｒｅ）によって実現される。しかし、これらの実現方式を使用する場合、これらのインスタントメッセージングソフトウェアをインストールして使用する必要があるので、操作が不便である。
【００３６】
図２は、一例示的な実施形態に係るファイル伝送方法のフローチャートである。図２を参照すると、上記の方法は、図１に示された場面の端末装置１または端末装置２によって実行されることができる。上記ファイル伝送方法は、以下のステップを含むことができる。
【００３７】
ステップＳ１１において、ファイルのアイコンを目標装置のアイコンにドラッグするためのファイルドラッグ操作を検出する。
【００３８】
ここで、ファイルドラッグ操作は、ファイルのアイコンが目標装置のアイコンにドラッグされることを指す。
【００３９】
ここで、ファイルは、イメージ、文書、プログラムのインストールパッケージ、ビデオなどの任意のタイプのファイルであることができる。つまり、上記のファイル伝送方法は、比較的に小さなイメージ、文書を送信することができ、比較的に大きなプログラムのインストールパッケージには、ビデオを伝送することができるので、実用性が強い。
【００４０】
ファイルのアイコンは、端末装置がユーザーに展示して前記ファイルを表示する可視化された図形である。
【００４１】
ステップＳ１２において、ファイルドラッグ操作に応答して、ファイルのデータを取得する。
【００４２】
ファイルのデータは、ファイルを構成するすべてのデータを指す。ファイルのデータは、端末装置の保存ユニットに保存される。
【００４３】
ステップＳ１３において、ファイルのデータを目標装置に伝送する。
【００４４】
本公開の実施例において、ファイルの伝送は、ＬＡＮ伝送プロトコル、無線ワイファイ（ＷＩＦＩ）直接接続、ホットスポットは、Ｂｌｕｅｔｏｏｔｈ（登録商標）などの技術により実現することができ、これに限定されない。
【００４５】
例えば、上記のファイルは、ＷＩＦＩ直接接続技術を使用して伝送することができる。ＷＩＦＩ直接接続は、中間媒体ポイントが必要とせず、且つＷＩＦＩの伝送速度が速いので、ビデオストリームの伝送速度を確保することができる。
【００４６】
本公開の実施例において、ファイルを目標装置のアイコンにドラッグして、ファイルの伝送を実現することができる。上記のプロセスは簡単で、端末装置に第３者のインスタントメッセージングソフトウェアを搭載して使用する必要がないので、操作が簡単で、ファイルの伝送処理を簡単化させることができる。
【００４７】
オプションで、ファイルドラッグ操作を検出するステップは、ローカルに保存されたファイルが選択されたとき、選択されたファイルに対するファイルドラッグ操作を検出するステップを含む。
【００４８】
上記の実現方式において、ローカルに保存されたファイルが選択された場合のみ、ファイルドラッグ操作を検出することに限定することで、継続的な検出による資源の浪費を避けることができる。
【００４９】
オプションで、ファイルドラッグ操作を検出するステップは、ファイルのアイコンがドラッグされる軌跡の終点と目標装置のアイコンが存在する位置が重なる場合には、ファイルのドラッグ操作が検出されたと確定するステップを含む。または、ファイルドラッグ操作を検出するステップは、ファイルのアイコンがドラッグされるプ過程で、目標装置のアイコンが押されて発生するトリガイベントが検出された場合は、ファイルドラッグ操作が検出されと確定するステップを含む。
【００５０】
ここで、目標装置のアイコンは、２つの状況に分ける。一つは、上記のアイコンがデスクトップの一つの位置に対応し、ファイルのアイコンが当該位置にドラッグされた場合は、ファイルドラッグ操作が発生する。他の一つは、上記のアイコンが一つのボタンに対応し、ファイルのアイコンが当該ボタンにドラッグされて、ファイルドラッグ操作がトリガされて発生する。上記２つの状況に対応して、本開示は、２つの検出方法を提供し、ファイルドラッグ操作の検出を実現する。
【００５１】
オプションで、前記方法は、ローカルに保存されたファイルが選択されたとき、所定位置に目標装置のアイコンを表示するステップを含む。
【００５２】
これにより、目標装置のアイコンは、ずっと表示する必要がない。ユーザーが端末装置を使用する過程で、ファイルを伝送していないときに目標装置のアイコンに干渉されず、かつ目標装置のアイコンを隠して、スクリーンスペースを節約することができる。
【００５３】
オプションで、ファイルドラッグ操作の中で選択されたファイルは、一つまたは複数のファイルを含むことができる。
【００５４】
本公開の実施例において、ユーザーは、一度に一つのファイルを選択して送信することができ、同時に複数のファイルを選択して一括で送信することができる。
【００５５】
オプションで、ファイルのデータを目標装置に伝送するステップは、目標装置のアドレスを取得するステップと、目標装置のアドレスに基づいて、ファイルのデータを目標装置に伝送するステップと、を含む。
【００５６】
ここで、ファイルを伝送するときに、まず目標装置のアドレスを取得した後に送信することで、プロセスは簡単である。
【００５７】
オプションで、目標装置のアドレスを取得するステップは、目標装置のアイコンが存在しているインターフェースの位置領域と目標装置のアドレスとの関係に基づいて、ファイルのアイコンがドラッグされる軌跡の終点が存在する位置領域に対応する目標装置のアドレスを確定するステップを含む。または、目標装置のアドレスを取得するステップは、トリガイベントと目標装置のアドレスとの関係に基づいて、ファイルのアイコンがドラッグされる過程で発生するトリガイベントに対応する目標装置のアドレスを確定するステップを含む。トリガイベントは、目標装置のアイコンが押されるときに発生される。
【００５８】
ここで、目標装置のアドレスを取得することは、２つの状況が存在する。一つは、端末装置が接続する各目標装置のアイコンがスクリーン（デスクトップ）で異なる位置領域に存在し、目標装置のアイコンが存在しているインターフェースの位置領域と目標装置のアドレスとの関係、およびファイルがドラッグされる過程中の終点が存在する位置領域に基づいて、ファイルに対応する目標装置を確定することができる。他の一つは、ファイルのドラッグ操作がボタンをトリガし、各ボタンが一つのトリガイベントに対応され、前記トリガイベントと目標装置のアドレスが互いに対応し、端末装置中のトリガイベントに基づいて対応する目標装置を確定することができる。
【００５９】
オプションで、前記方法は、ユーザーが目標装置のアイコンのクリック操作に応答して、ファイルの伝送記録を表示するステップをさらに含むことができる。
【００６０】
上記の実現方式において、目標装置のアイコンをクリックして、ファイルの伝送履歴を表示することで、どのファイルが既に送信完了したことを確定することができる。
【００６１】
オプションで、前記方法は、放送を通じてペアリング情報を送信するステップと、目標装置が送信した応答情報を受信するステップと、応答情報が持っている身分情報が予定の身分情報である場合には、目標装置に接続確立要求を送信するステップと、目標装置が送信した接続確立応答を受信するステップと、を含む。ここで、応答情報は身分情報を含み、身分情報はユーザーアカウントとデバイスのメーカー識別の中の少なくとも一つが含まれる。
【００６２】
ここで、予定の身分情報は、ファイルを伝送する側の端末装置の身分情報であることができる。ユーザーアカウントは、端末装置または移動端末でログインしたユーザーのアカウントを指す。デバイスのメーカー識別は、上記端末装置または移動端末のメーカーを指示する。
【００６３】
上記の実現方式において、端末装置の間の接続関係は、ペアリングと応答によって確立される。接続関係を確立する過程で、ユーザーアカウントおよび／またはデバイスのメーカー識別を認証標準とし、統一されたユーザーアカウントおよび／またはデバイスのメーカー識別を使用した端末装置との間には、自動的に接続が確立されて、人が操作する必要がないので、ファイルの伝送処理が簡単である。同時に、上記認証過程が存在することにより、慣れていない移動装置に接続され、後続の様々な問題が発生することを避けることができる。
【００６４】
ここで、ペアリング情報は、ブルートゥース（登録商標）ペアリング情報であることができる。端末装置と移動端末は、Ｂｌｕｅｔｏｏｔｈ（登録商標）技術によって自動的に接続することができる。
【００６５】
オプションで、端末装置の間には、最初に手動的に接続することができ、次からの接続は、上記の自動的に接続することができる。
【００６６】
ただし、上記のステップＳ１１からＳ１３と上記選択的なステップは、任意の組み合わせになることができる。
【００６７】
図３は、一例示的な実施形態に係るファイル伝送方法のフローチャートである。図３を参照すると、上記の方法は、図１に示された場面の端末装置１または端末装置２によって実行されることができる。上記ファイル伝送方法は、以下のステップを含むことができる。
【００６８】
ステップＳ２１において、目標装置との接続を確立する。
【００６９】
ここで、目標装置は、ファイルを伝送しようとする相手装置である。例えば、端末装置１がファイルを伝送しようとする場合には、上記目標装置は端末装置２であることができる。端末装置２がファイルを伝送しようとする場合には、上記目標装置は端末装置１であることができる。
【００７０】
オプションで、目標装置との接続を確立するステップは、放送を通じてペアリング情報を送信するステップと、
目標装置が送信する応答情報を受信するステップと、応答情報が持っている身分情報が予定の身分情報である場合には、目標装置に接続確立請求を送信するステップと、目標装置が送信する接続確立応答を受信するステップと、を含むことができる。ここで、応答情報は身分情報を含み、身分情報はユーザーアカウントとデバイスのメーカー識別の中の少なくとも一つを含む。
【００７１】
ここで、予定の身分情報は、ファイルを伝送する側の端末装置の身分情報であることができる。ユーザーアカウントは、端末装置または移動端末でログインしたユーザーのアカウントを指す。デバイスのメーカー識別は、前記端末装置または移動端末のメーカーを指す。
【００７２】
上記の実現方式において、端末装置との間の接続関係は、ペアリングと応答によって確立される。接続関係を確立する過程で、ユーザーアカウントおよび／またはデバイスのメーカー識別を認証標準とし、統一されたユーザーアカウントおよび／またはデバイスのメーカー識別を使用した端末装置の間には、自動的に接続が確立されて、人が操作する必要がないので、ファイル伝送のプロセスが簡単である。同時に、上記認証過程が存在することにより、慣れていない移動装置に接続され、後続の様々な問題が発生することを避けることができる。
【００７３】
ここで、ペアリング情報は、ブルートゥース（登録商標）ペアリング情報であることができる。端末装置と移動端末は、Ｂｌｕｅｔｏｏｔｈ（登録商標）技術によって自動的に接続することができる。
【００７４】
例えば、端末装置１は、放送を通じてペアリング情報を送信する。ブルートゥース（登録商標）ペアリング情報は、ユーザーアカウントが含まれている。端末装置２は、ブルートゥース（登録商標）ペアリング情報を受信した場合は、ブルートゥース（登録商標）ペアリング情報が持っているユーザーアカウントと端末装置２でログインされたユーザーアカウントが同じであるかどうかを判断する。同一である場合、応答情報を返す。応答情報は、ユーザーアカウントが含まれている。同じでない場合は、応答情報を返さない。端末装置１は、端末装置２が送信された応答情報を受信する。端末装置１は、応答情報が持っているユーザーアカウントと端末装置２でログインされたユーザーアカウントが同じであるかどうかを判断する。同じ場合には、端末装置１は、端末装置２に接続確立要求を送信する。端末装置２は、端末装置１が送信された接続確立要求を受信する。端末装置２は、端末装置１に接続確立応答を送信する。端末装置１は、端末装置２が送信した接続確立応答を受信する。同じでない場合は、端末装置１は、上記の接続確立処理を終了する。
【００７５】
ここで、端末装置２は、ユーザーアカウントを判断するプロセスは、選択的なステップである。端末装置２は、ブルートゥース（登録商標）ペアリング情報を受信した後、応答情報を送信する。
【００７６】
一実施例において、前記接続確立のプロセスは、端末装置２が開始して、端末装置１が応答することができる。
【００７７】
上記のように、上記のブルートゥース（登録商標）ペアリング情報と応答情報のユーザーアカウントのほかに、メーカーをさらに含むことができる。端末装置２と端末装置１が接続している過程で、ユーザーアカウントが同じかどうかを判断することに加えて、メーカーが同じかどうか判断する。
【００７８】
例えば、端末装置２は、ブルートゥース（登録商標）ペアリング情報を受信した場合は、ブルートゥース（登録商標）ペアリング情報が持っているユーザーアカウントとデバイスのメーカー識別が端末装置２のローカルのユーザーアカウントとデバイスのメーカー識別と同じかどうかを判断する。同一である場合、応答情報を返し、応答情報は、ユーザーアカウントが含まれている。同じでない場合は、応答情報を返さない。また、例えば、端末装置１は、応答情報が持っているユーザーアカウントとデバイスのメーカー識別が端末装置１のローカルのユーザーアカウントとデバイスのメーカー識別と同じかどうかを判断する。同じ場合には、端末装置１は、端末装置２に接続設立要求を送信し、端末装置２は、端末装置１に接続確立要求を送信する。同じでない場合は、端末装置１は、接続確立要求を送信しない。
【００７９】
ペアリング情報と応答情報にデバイスのメーカー識別を持っている場合は、同じメーカーの製品のみ上記自動接続方法を使用することにより、端末装置と移動端末の両方が上記ファイルのドラッグ伝送機能を具備することを確保することができる。
【００８０】
ただし、ステップＳ２１は繰り返して行うことができる。つまり、１つの端末装置が複数の端末装置に接続することができる。
【００８１】
ステップＳ２２において、ローカルに保存されたファイルが選択されたとき、選択されたファイルに対するファイルドラッグ操作を検出する。
【００８２】
ここで、ファイルドラッグ操作は、ファイルのアイコンが目標装置のアイコンにドラッグされることを指す。
【００８３】
ここで、ファイルは、イメージ、文書、プログラムのインストールパッケージには、ビデオなどの任意のタイプのファイルであることができる。つまり、上記のファイル伝送方法は、比較的に小さなイメージ、文書を送信することができ、比較的に大きなプログラムのインストールパッケージには、ビデオを伝送することができるので、実用性が強い。
【００８４】
ファイルのアイコンは、端末装置がユーザーに展示して前記ファイルを表示するための可視化された図形である。
【００８５】
上記の実現方式において、ローカルに保存されたファイルが選択された場合のみ、ファイルドラッグ操作を検出することに限定して、継続的な検出による資源の浪費を避けることができる。
【００８６】
本公開の実施例の実現方式において、ファイルドラッグ操作を検出するステップは、、ファイルのアイコンがドラッグされる軌跡の終点が目標装置のアイコンが存在する位置と重なる場合には、ファイルのドラッグ操作が検出されたことを確定するステップを含む。
【００８７】
これらの実施方式において、目標装置のアイコンが存在する位置は端末装置に格納され、端末装置は、ファイルのアイコンがドラッグされる軌跡の終点の位置と格納された各目標装置のアイコンが存在する位置を比較するとされている。ここで、目標装置のアイコンが存在する位置は、単一の位置領域である。このとき、ファイルのアイコンがドラッグされる軌跡の終点の位置は、目標装置のアイコンの位置領域内に位置すればよい。
【００８８】
本公開の実施例の他の実現方式において、ファイルドラッグ操作を検出するステップは、ファイルのアイコンがドラッグされる過程では、目標装置のアイコンが押されて発生するトリガイベントが検出された場合は、ファイルドラッグ操作が検出さされたことを確定するステップを含む。
【００８９】
これらの実施方式において、目標装置のアイコンは、実際に一つのボタンである。ファイルのアイコンが上記ボタンにドラッグされて釈放した場合には、上記のプロセスは、上記のボタンの押動作を含む。上記押動作が発生した場合には、トリガイベントが発生し、端末装置は前記トリガイベントを検出して、ファイルドラッグ操作を検出することができる。
【００９０】
上記２つの実現方式において、ここで、目標装置のアイコンが２つの状況に分ける。一つは、上記のアイコンがデスクトップでの一つの位置に対応し、ファイルのアイコンが上記の位置にドラッグされた場合は、ファイルドラッグ操作が発生する。他の一つは、上記のアイコンが一つのボタンに対応し、ファイルのアイコンが上記ボタンにドラッグされた場合は、ファイルドラッグ操作がトリガされて発生される。上記２つの状況に対応して、本出願は、上記２つの検出方法を提供し、ファイルドラッグ操作の検出を実現することができる。
【００９１】
本公開の実施例において、前記方法は、ローカルに保存されたファイルが選択されたとき、所定位置に目標装置のアイコンを表示するステップを含む。これにより、目標装置のアイコンは、ずっと表示する必要がないので、ユーザーが端末装置を使用する過程で、ファイルを伝送していない場合、目標装置のアイコンによって干渉されず、同時に目標装置のアイコンを隠してスクリーンスペースを節約することができる。
【００９２】
一方、前記方法は、ファイルの伝送が完了した後、設定時間が過ぎるまで、ファイルの伝送操作を行わない場合には、上記目標装置のアイコンを消す。
【００９３】
図４は、一例示的な実施形態に係る端末装置のインターフェース図である。図４のように、ユーザーが移動端末を使用して写真を伝送する場合は、まず写真フォルダに進入し、ここで、複数のイメージファイル１０が陳列されている。ユーザーはクリックして３枚（√で表示された部分）の伝送イメージを選択する。このとき、端末装置は、ファイルが選択されたことを検出して、所定位置に目標装置のアイコン１００を表示する。ユーザーはファイルドラッグ操作を介して、ファイル１０のアイコンを端末装置のアイコン１００にドラッグする。図５のようである。ここで、ファイル１０のアイコンがドラッグされる過程で、元のファイル１０のアイコンは動かず、同時に別々にドラッグされる１つのファイルのアイコンが表示される。上記ドラッグ操作が完了した後、ドラッグされたアイコンが消える。ここで、所定位置はあらかじめ確定された任意の設定位置であることができ、端末装置のデスクトップでの空白の位置であることができ、これにより、目標装置のアイコンは、デスクトップでのその他の内容をオクルージョンしない。
【００９４】
ステップＳ２３において、ファイルドラッグ操作に応答して、ファイルのデータを取得する。
【００９５】
ファイルのデータは、ファイルを構成するすべてのデータを指す。ファイルのデータは、端末装置の保存ユニットに保存される。
【００９６】
本公開の実施例において、ファイルのデータを取得するステップは、選択されたファイルの保存アドレスを取得するステップと、選択されたファイルの保存アドレスからファイルのデータを取得するステップと、を含むことができる。ここで、ファイルの保存アドレスは、選択したファイルが端末装置での物理的な格納アドレスであり、これは、ユーザーが上記のファイルを選択するときに、すでに確定される。その理由は、端末装置では、ユーザーがファイルを選択する過程で、ファイルが存在するフォルダを事前に確定しなければならず、ファイルが存在するフォルダ＋ファイルの名称は、上記ファイルの物理的なストレージアドレスに対応されるからである。
【００９７】
ステップＳ２４において、ファイルのデータを目標装置に伝送する。
【００９８】
本公開の実施例において、ファイルドラッグ操作の過程で選択されたファイルは、少なくとも一つのファイルを含む。本公開の実施例において、ユーザーは、一度に一つのファイルを伝送することができ、同時に複数のファイルを選択して、一括で送信することもできる。例えば、図４と図５のように、ファイルドラッグ操作の過程で選択されたファイルは、３つのファイルを含むことができる。
【００９９】
オプションで、ファイルのデータを目標装置に伝送するステップは、目標装置のアドレスを取得するステップと、目標装置のアドレスに基づいて、ファイルのデータを目標装置に伝送するステップと、を含むことができる。
【０１００】
ここで、ファイルを伝送するときに、まず目標装置のアドレスを取得した後に送信することにより、処理が簡単である。ここで、目標装置のアドレスは、インターネットプロトコル（ＩＰ）アドレス、またはブルートゥース（登録商標）装置の変位マーク（ＵＵＩＤ）であることができる。ここの目標装置のアドレスは、目標装置との接続を確立する過程で取得することができる。
【０１０１】
ここで、目標装置のアドレスを取得するステップは、目標装置のアイコンが存在しているインターフェースの位置領域と目標装置のアドレスとの関係に基づいて、ファイルのアイコンがドラッグされる軌跡の終点が存在する位置領域に対応される目標装置のアドレスを確定するステップを含む。または、目標装置のアドレスを取得するステップは、トリガイベントと目標装置のアドレスとの関係に基づいて、ファイルのアイコンがドラッグされる過程で発生するトリガイベントに対応する目標装置のアドレスを確定するステップを含む。トリガイベントは、目標装置のアイコンが押されるときに発生される。
【０１０２】
ここで、目標装置のアドレスを取得することは、２つの状況が存在する。一つは、端末装置が接続する各目標装置のアイコンがスクリーン（デスクトップ）で異なる位置領域に存在し、目標装置のアイコンが存在しているインターフェースの位置領域と目標装置のアドレスとの関係、およびファイルがドラッグされる過程中の終点が存在する位置領域に基づいて、ファイルに対応する目標装置を確定することができる。他の一つは、ファイルのドラッグ操作がボタンをトリガし、各ボタンが一つのトリガイベントに対応され、前記トリガイベントと目標装置のアドレスが互いに対応し、端末装置の中のトリガイベントに基づいて対応する目標装置を確定することができる。
【０１０３】
本公開の実施例において、目標装置のアイコンが存在しているインターフェースの位置領域と目標装置のアドレスとの関係、またはトリガイベントと目標装置のアドレスとの関係は、端末装置に保存されることができる。
【０１０４】
ここで、目標装置のアイコンが存在しているインターフェースの位置領域、またはトリガイベントは、事前に設定することができる。目標装置との接続を確立した後、順番には、１つの位置領域またはトリガイベントを目標装置に関連させて、位置領域と目標装置の関係、またはトリガイベントと目標装置の関係を得る。
【０１０５】
ここで、目標装置のアイコンが存在するインターフェースは、端末装置のデスクトップである。目標装置のアイコンが存在しているインターフェースの位置領域は、目標装置のアイコンが端末装置のデスクトップで覆う領域である。
【０１０６】
一方、前記方法は、目標装置のファイルが選択された場合には、上記目標装置のアイコンのドラッグ操作を検出するステップと、ドラッグ操作が完了したときの位置（ドラッグ軌跡の終点の位置）を目標装置のアイコンの位置に定めるステップと、ドラッグした後の目標装置のアイコンの位置に上記目標装置のアイコンを表示するステップと、をさらに含む。
【０１０７】
目標装置のアイコンの位置が変動した後、目標装置のアイコンが存在しているインターフェースの位置領域と目標装置のアドレスとの関係を更新することができる。
【０１０８】
本公開の実施例において、ファイルの伝送は、ＬＡＮ伝送プロトコル、無線ワイファイ（ＷＩＦＩ）直接接続、ホットスポット、Ｂｌｕｅｔｏｏｔｈ（登録商標）などの技術により実現されることができ、これに限定されない。
【０１０９】
例えば、上記のファイルは、ＷＩＦＩ直接接続技術を利用して送信することができる。ＷＩＦＩ直接接続は、中間媒体ポイントが必要とせず、また、ＷＩＦＩの伝送速度が速いので、ビデオストリームの伝送速度を確保することができる。
【０１１０】
目標装置の一側では、目標装置には、相手装置（送信側の端末装置）のマークを表示することができる。目標装置は、相手装置が送信するファイルを自動的に受信して保存することができるので、ユーザーが受信確認を行う必要がなく、ユーザーの操作は必要がない。さらに、これらのファイルの伝送は、同じユーザーのデバイスの間の伝送または両方のユーザーが互いに突き合わせて送信することで、受信確認を進めていなくても、安全上の問題が存在していない。
【０１１１】
本公開の実施例において、ファイルを伝送する端末装置または目標装置について、次の方法を実行することができる。ユーザーが目標装置（または相対装置）のアイコンをクリックするクリック操作に応答して、ファイルの伝送記録を表示する。上記の実現方式において、目標装置のアイコンをクリックして、ファイルの伝送履歴を表示して、どのファイルが既に送信完了したことを確定することができる。
【０１１２】
上記の実現方式において、目標装置のアイコンは、一つのボタンであることができる。ユーザーがクリックするとき、ファイルの伝送履歴を展示する。上記ファイルの伝送記録は、ファイル名、ファイルサイズ、伝送時間などを含むことができる。これにより、どのファイルが既に送信完了したことを確認することができる。もちろん、ファイルの伝送記録に加えて、現在進行しているファイル伝送の状況を表示することもできる。現在進行しているファイル伝送の状況は、ファイル名、ファイルサイズ、すでに送信されたパーセント、伝送速度などを含むことができる。
【０１１３】
上記ファイルの伝送記録は、ポップアップのインターフェースに表示されることができる。上記ポップアップインターフェイスはオフボタンを含むことができる。ユーザーがオフボタンをクリックすると、端末装置は、オフコマンドを受信し、前記ポップアップのインターフェースをオフさせる。
【０１１４】
図６は、一例示的な実施形態に係るファイル伝送装置の構造例図である。図６を参照すると、ファイル伝送装置は、検出モジュール３０１、取得モジュール３０２及び送信モジュール３０３を含む。
【０１１５】
ここで、検出モジュール３０１は、ファイルのアイコンを目標装置のアイコンにドラッグするためのファイルドラッグ操作を検出する。取得モジュール３０２は、検出されたファイルドラッグ操作に応答して、ファイルのデータを取得する。送信モジュール３０３は、ファイルのデータを目標装置に伝送する。
【０１１６】
オプションで、検出モジュール３０１は、ローカルに保存されたファイルが選択されたとき、選択されたファイルに対するファイルドラッグ操作を検出する。
【０１１７】
オプションで、検出モジュール３０１は、ファイルのアイコンがドラッグされる軌跡の終点が目標装置のアイコンが存在する位置と重なる場合には、ファイルのドラッグ操作が検出されたことを確定する。または、検出モジュールは、ファイルのアイコンがドラッグされる過程で、目標装置のアイコンが押されて発生するトリガイベントが検出された場合は、ファイルドラッグ操作が検出されたことを確定する。
【０１１８】
オプションで、前記装置は、出力モジュール３０４をさらに含む。出力モジュール３０４は、ローカルに保存されたファイルが選択されたとき、所定位置に目標装置のアイコンを表示する。
オプションで、ファイルドラッグ操作中で選択したファイルは、少なくとも一つのファイルを含む。
【０１１９】
オプションで、送信モジュール３０３は、取得サブモジュール３３１と送信サブモジュール３３２を含む。取得サブモジュール３３１は、目標装置のアドレスを取得する。送信サブモジュール３３２は、目標装置のアドレスに基づいて、ファイルのデータを目標装置に伝送する。
【０１２０】
オプションで、取得サブモジュール３３１は、目標装置のアイコンが存在しているインターフェースの位置領域と目標装置のアドレスとの関係に基づいて、ファイルのアイコンがドラッグされる軌跡の終点が存在する位置領域に対応する目標装置のアドレスを確定する。または、取得サブモジュール３３１は、トリガイベントと目標装置のアドレスとの関係に基づいて、ファイルのアイコンがドラッグされる過程で発生するトリガイベントに対応する目標装置のアドレスを確定する。トリガイベントは、目標装置のアイコンが押されるときに発生される。
【０１２１】
オプションで、出力モジュール３０４は、、ユーザーが目標装置のアイコンのクリック操作に応答して、ファイルの伝送記録を表示する。
【０１２２】
オプションで、前記装置は、受信モジュール３０５、送信モジュール３０３を含む。送信モジュール３０３は、放送を通じてペアリング情報を送信する。受信モジュール３０５は、目標装置が送信する応答情報を受信し、応答情報は、身分情報を含み、身分情報は、ユーザーアカウントとデバイスのメーカー識別中の少なくとも一つを含む。または、送信モジュール３０３は、応答情報が持っているユーザーアカウントとローカルが使用するユーザーアカウントが同じである場合には、目標装置に接続確立請求を送信する。受信モジュール３０５は、目標装置が送信する接続確立応答を受信する。
【０１２３】
検出モジュール３０１がファイルのドラッグ操作を検出する方法は、ステップＳ２２を参照することができる。取得モジュール３０２がファイルのデータを取得する方法は、ステップＳ２３を参照することができる。送信モジュール３０３がファイルのデータを伝送する方法は、ステップＳ２４を参照することができる。ここで、その詳細な説明を省略する。
【０１２４】
図７は、一例示的な実施形態に係るファイル伝送装置６００のブロック図である。装置６００は、前記端末装置であることができる。
【０１２５】
図７を参照すると、装置６００は、処理ユニット６０２、メモリ６０４、電源ユニット６０６、マルチメディアユニット６０８、オーディオユニット６１０、入力／出力（Ｉ／Ｏ）インターフェース６１２、センサーユニット６１４、及び通信ユニット６１６からなる群から選ばれる少なくとも１つを備えてもよい。
【０１２６】
処理ユニット６０２は、一般的には、装置６００の全体の操作、例えば、表示、電話呼び出し、データ通信、カメラ操作及び記録操作に関連する操作を制御する。処理ユニット６０２は、上述した方法におけるステップの一部又は全部を実現できるように、命令を実行する少なくとも１つのプロセッサー６２０を備えてもよい。また、処理ユニット６０２は、他のユニットとのインタラクションを便利にさせるように、少なくとも１つのモジュールを備えてもよい。例えば、処理ユニット６０２は、マルチメディアユニット６０８とのインタラクションを便利にさせるように、マルチメディアモジュールを備えてもよい。
【０１２７】
メモリ６０４は、装置６００での操作をサポートするように、各種のデータを記憶するように配置される。これらのデータは、例えば、装置６００で何れの応用又は方法を操作するための命令、連絡先データ、電話帳データ、メッセージ、画像、ビデオ等を含む。メモリ６０４は、何れの種類の揮発性又は不揮発性メモリ、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクにより、或いはそれらの組み合わせにより実現することができる。
【０１２８】
電源ユニット６０６は、装置６００の各種ユニットに電力を供給するためのものであり、電源管理システム、１つ又は複数の電源、及び装置６００のために電力を生成、管理及び分配することに関連する他のユニットを備えてもよい。
【０１２９】
マルチメディアユニット６０８は、装置６００とユーザーとの間に出力インターフェースを提供するスクリーンを備えてもよい。スクリーンは、例えば、液晶ディスプレイ（ＬＣＤ）やタッチパネル（ＴＰ）を備えてもよい。スクリーンは、タッチパネルを備える場合、ユーザーからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。
【０１３０】
オーディオアセンブリ６１０は、オーディオ信号を出力および／または入力するためのものである。一部の実施形態において、オーディオアセンブリ６１０は、スピーカーをさらに含むことができ、オーディオ信号を出力する。
【０１３１】
Ｉ／Ｏインターフェース６１２は、処理ユニット６０２と外部のインタフェースモジュールとの間にインターフェースを提供するためのものである。前記外部のインタフェースモジュールは、キーボードや、クリックホイールや、ボタン等であってもよい。これらのボタンは、ホームボタンや、音量ボタンや、スタートボタンや、ロックボタンであってもよいが、それらに限らない。
【０１３２】
センサーアセンブリ６１４は、装置６００に各方面の状態評価を提供する一つまたは複数のセンサーを含む。例えば、スマートデバイスは、スマート型エアコンの場合、上記センサーアセンブリ６１４は、温度センサー、湿度センサーなどを含むことができる。
【０１３３】
通信ユニット６１６は、装置６００と他の設備の間との無線又は有線通信を便利にさせるように配置される。装置６００は、通信標準に基づく無線ネットワーク、例えば、ＷｉＦｉ、２Ｇ、３Ｇ、４Ｇ又は５Ｇ、又はそれらの組み合わせにアクセスできる。１つの例示的な実施例では、通信ユニット６１６は、ブロードキャストチャンネルを介して外部のブロードキャスト管理システムからのブロードキャスト信号又はブロードキャストに関する情報を受信する。１つの例示的な実施例では、前記通信ユニット６１６は、近距離通信を促進するために近距離無線通信（ＮＦＣ）モジュールをさらに備えてもよい。
【０１３４】
例示的な実施例では、装置６００は、上述した方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサー（ＤＳＰ：Ｄｉｇｉｔａｌ  Ｓｉｇｎａｌ  Ｐｒｏｃｅｓｓｏｒ）、数字信号処理装置（ＤＳＰＤ：Ｄｉｇｉｔａｌ  Ｓｉｇｎａｌ  Ｐｒｏｃｅｓｓｉｎｇ  Ｄｅｖｉｃｅ）、プログラム可能論理装置（ＰＬＤ：Ｐｒｏｇｒａｍｍａｂｌｅ  Ｌｏｇｉｃ  Ｄｅｖｉｃｅ）、書替え可能ゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサー、又は他の電子機器によって実現されて、前記方法を実行する。
【０１３５】
例示的な実施例では、命令を有する非一時的コンピュータ読み取り可能な記録媒体を提供し、前記記録媒体にはコンピュータプログラムを記録する。当該コンピュータプログラムはプロセッサー６２０により実行されて上述方法を実現する。例えば、前記非一時的コンピュータ読み取り可能な記録媒体は、ＲＯＭ、ＲＡＭ、ＣＤ−ＲＯＭ、磁気テープ、フロッピー（登録商標）ディスク及び光データメモリ等であってもよい。
【０１３６】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、単に例示的なものであって、本発明の本当の範囲と主旨は、以下の特許請求の範囲によって示される。
【０１３７】
本発明は、前記で記述され、図面で図示した特定の構成に限定されず、その範囲を離脱しない状況で、様々な修正や変更を実施してもよい。本発明の範囲は、添付される特許請求の範囲のみにより限定される。
【図１】
2021528706.tif 000003
【図２】
2021528706.tif 000004
【図３】
2021528706.tif 000005
【図４】
2021528706.tif 000006
【図５】
2021528706.tif 000007
【図６】
2021528706.tif 000008
【図７】
2021528706.tif 000009
【国際調査報告】
2021528706.tif 000010
2021528706.tif 000011
2021528706.tif 000012
2021528706.tif 000013